(57)【要約】【課題】作業を簡素化すると共に、広帯域の源信号に対する受信機の復調性能を評価することができる受信機評価システムおよび装置を提供することを目的とする。【解決手段】源信号と、該源信号を高周波信号に変調した試験信号とをデジタルデータへ変換するＡＤ変換部と、ＡＤ変換部によってＡＤ変換された源信号および試験信号を記憶する記憶部とを備える収録装置、ならびに、源信号と、該源信号を高周波信号に変調した試験信号とが記憶された記憶部と、記憶部から試験信号を読み出して無線受信機へ出力し、無線受信機によって復調された復調信号を取得し、該取得した復調信号と、記憶部に記憶される源信号とを比較して、無線受信機の評価を行う制御部と、を備える再生装置が提供される。【選択図】図１
2010166187.tif 000002
【特許請求の範囲】
【請求項１】
無線受信機の評価を行うための試験信号を収録する収録装置であって、
源信号と、該源信号を高周波信号に変調した試験信号とをデジタルデータへ変換するＡＤ変換部と、
前記ＡＤ変換部によってＡＤ変換された源信号および試験信号を記憶する記憶部と、を備える収録装置。
【請求項２】
前記記憶部は、複数の前記源信号および試験信号を記憶可能であることを特徴とする請求項１に記載の収録装置。
【請求項３】
前記記憶部は、前記ＡＤ変換部によってデジタルデータへ変換された前記源信号および試験信号を１つのファイルに記憶することを特徴とする請求項１または２に記載の収録装置。
【請求項４】
前記記憶部は、更に、前記源信号および試験信号に関する情報を、前記源信号および試験信号が記憶されるファイルと共に記憶することを特徴とする請求項３に記載の収録装置。
【請求項５】
前記源信号および試験信号に関する情報は、前記源信号の周波数、前記試験信号の周波数およびレベル、ならびに前記試験信号の変調方式を含むことを特徴とする請求項４に記載の収録装置。
【請求項６】
前記ＡＤ変換部は、前記源信号と試験信号とを同期させてデジタルデータへ変換することを特徴とする請求項１から５のいずれかに記載の収録装置。
【請求項７】
前記記憶部は、前記収録装置に対して着脱可能な記憶媒体からなることを特徴とする請求項１から６のいずれかに記載の収録装置。
【請求項８】
無線受信機の評価を行うための試験信号を、前記無線受信機にて復調させて、前記無線受信機の評価を行う再生装置であって、
源信号と、該源信号を高周波信号に変調した試験信号とが記憶された記憶部と、
前記記憶部から前記試験信号を読み出して前記無線受信機へ出力し、前記無線受信機によって復調された復調信号を取得し、該取得した復調信号と、前記記憶部に記憶される源信号とを比較して、前記無線受信機の評価を行う制御部と、を備える再生装置。
【請求項９】
前記記憶部には、前記源信号および試験信号が複数記憶されており、
前記制御部は、前記複数の源信号および試験信号から、所望の試験信号を選択して、前記無線受信機にて復調させることを特徴とする請求項８に記載の再生装置。
【請求項１０】
前記記憶部には、前記源信号および該源信号を高周波信号に変調した試験信号が、デジタルデータとして１つのファイルに記憶されていることを特徴とする請求項８または９に記載の再生装置。
【請求項１１】
前記再生装置は、前記デジタルデータとして記憶される試験信号をアナログ信号へ変換するＤＡ変換部を備え、
前記制御部は、前記ＤＡ変換部によって変換された試験信号を前記無線受信機にて復調させることを特徴とする請求項１０に記載の再生装置。
【請求項１２】
前記制御部は、前記無線受信機によって復調された復調信号の振幅の変動と、前記記憶部に記憶される源信号の振幅の変動とを比較して、前記無線受信機の評価を行うことを特徴とする請求項８から１１のいずれかに記載の再生装置。
【請求項１３】
前記前記制御部は、前記無線受信機によって復調された復調信号の周波数分布と、前記記憶部に記憶される源信号の周波数分布とを比較して、前記無線受信機の評価を行うことを特徴とする請求項８から１２のいずれかに記載の再生装置。
【請求項１４】
前記記憶部は、前記再生装置に対して着脱可能な記憶媒体からなることを特徴とする請求項８から１３のいずれかに記載の再生装置。
【請求項１５】
前記記憶部は、外部の機器と通信することによって前記源信号および試験信号とを記憶することを特徴とする請求項８から１３のいずれかに記載の再生装置。
【請求項１６】
請求項１から７のいずれかに記載の収録装置と、請求項８から１５のいずれかに記載の再生装置とからなる評価装置。
【請求項１７】
無線受信機の評価を行う評価システムであって、
源信号を発生する源信号発生器と、
前記源信号を変調して試験信号を発生する試験信号発生器と、
請求項１６に記載の評価装置と、を備えることを特徴とする評価システム。
【発明の詳細な説明】
【技術分野】
【０００１】
この発明は、無線通信によって電波を受信する受信機における復調機能を評価する評価システムおよび装置に関する。
【背景技術】
【０００２】
従来、電波によって送信される情報を受信する無線受信機の受信特性を評価する際には、特許文献１に記載されるように、シグナルジェネレータ（標準信号発生器）によって発生させた評価用の試験信号を用いることが一般的に行われている。このような標準信号発生器を用いて、ラジオ受信機などの無線受信機を評価する場合の従来の評価システムについて図７を参照して説明する。
【０００３】
図７に示されるように、従来の評価システムは、正弦波発生器５１、搬送波発生器５２および変調器５３からなる標準信号発生器５０、評価の対象となる被評価受信機６０ならびに歪率計７０から構成される。このような評価システムにおいて、被評価受信機６０の受信特性について評価を行う場合、まず標準信号発生器５０において、試験信号を生成するための条件が設定される。具体的には、正弦波発生器５１にて生成される源信号の周波数、搬送波発生器５２から生成される標準信号の周波数およびレベル、ならびに変調器５３による変調方式などが設定される。そして、設定された条件に基づいて、標準信号発生器５０によって評価用の試験信号が生成され、被評価受信機６０へ送られる。
【０００４】
被評価受信機６０は、標準信号発生器５０によって生成された試験信号を受信し、復調する。そして、被評価受信機６０によって復調された信号は、歪率計７０に送られる。歪率計７０は、所定の周波数のフィルタを備え、該フィルタを通過した信号のレベルから理想波形との歪率を測定するものである。歪率計７０では、フィルタを通った復調信号のレベルに基づいて歪率が計測される。そして、この歪率計７０によって計測された歪率に基づき、被評価受信機６０の復調性能が評価される。
【先行技術文献】
【特許文献】
【０００５】
【特許文献１】特開２００３−１８８７８７号公報
【発明の概要】
【発明が解決しようとする課題】
【０００６】
しかしながら、上述のような従来の評価システムには、以下のような問題点がある。まず、上述のように、従来の評価システムでは、受信機の評価を行うために、標準信号発生器において条件を設定し、試験信号を生成する必要がある。そのため、特に複数の受信機に対して、様々な条件の試験信号を用いて評価を行いたい場合は、その都度標準信号発生器を操作する必要があり、作業が大変煩雑になってしまう。また、複数の製造ラインにおいて同時に並列して受信機の評価を行いたい場合は、複数の信号発生器を備えなければならないが、標準信号発生器は高価な装置であるため莫大なコストが生じてしまう。さらに標準信号発生器は大型で重量であるため、持ち運びが難しく、評価を行う場所が限定されてしまうといった問題もある。
【０００７】
さらに、標準信号発生器に含まれる正弦波発生器において発生できる源信号は、一般的に４００Ｈｚと１ｋＨｚの２種類の正弦波に限定されている。この２種類の正弦波は、代表的なオーディオや環境音を表すものであるが、近年、オーディオの高音質化が進んでいることもあり、より広帯域のオーディオに対する受信機の復調性能を評価できることが望まれている。また、評価を行う測定器として用いられる歪率計は、一般的に標準信号発生器が発生する源信号の仕様に併せて、４００Ｈｚと１ｋＨｚのフィルタを備えている。そのため、それ以外の周波数による復調信号については評価できないといった問題もあった。
【０００８】
本発明は、上記事情に鑑みてなされたものであり、作業を簡素化すると共に、広帯域の源信号に対する受信機の復調性能を評価することができる受信機評価システムおよび装置を提供することを目的とする。
【課題を解決するための手段】
【０００９】
上記の課題を解決するために、本発明により無線受信機の評価を行うための試験信号を収録する収録装置であって、源信号と、該源信号を高周波信号に変調した試験信号とをデジタルデータへ変換するＡＤ変換部と、ＡＤ変換部によってＡＤ変換された源信号および試験信号を記憶する記憶部とを備える収録装置が提供される。また、上記記憶部は、複数の源信号および試験信号を記憶可能な構成であっても良い。さらに、上記ＡＤ変換部は、源信号と試験信号とを同期させてデジタルデータへ変換する構成としても良い。
【００１０】
上記のように構成することにより、様々な種類の源信号および該源信号に基づいた試験信号を収録装置に収録することができる。そして、このような収録装置を用いることにより、受信機のより広帯域における復調機能の評価を行うことが可能となる。また、上記の収録装置では、試験信号だけでなく該試験信号のもととなった源信号も試験信号と共に記憶される。そのため、復調信号を評価する際に、記憶された源信号を用いることができ、正弦波などの理想波だけでなく、どのような源信号に対しても評価を行うことが可能となる。
【００１１】
また、上記記憶部は、ＡＤ変換部によってデジタルデータへ変換された源信号および試験信号を１つのファイルに記憶する構成としても良い。更に、源信号および試験信号に関する情報、すなわち源信号の周波数、試験信号の周波数およびレベル、ならびに試験信号の変調方式を、源信号および試験信号が記憶されるファイルと共に記憶する構成としても良い。さらに、上記記憶部は、収録装置に対して着脱可能な記憶媒体によって構成されても良い。
【００１２】
上述のように源信号および試験信号を１つのファイルに記憶することにより、試験信号から自動的にその元になった源信号を取得することができる。また、源信号および試験信号に関する情報も共に記憶することにより、ユーザが上記情報に基づいて容易に試験信号を選択できる。さらに、記憶部を着脱可能とすることで、収録されたデータを自在に持ち運ぶことが可能となる。
【００１３】
また、上記の課題を解決するために、本発明により無線受信機の評価を行うための試験信号を、無線受信機にて復調させて無線受信機の評価を行う再生装置であって、源信号と、該源信号を高周波信号に変調した試験信号とが記憶された記憶部と、記憶部から試験信号を読み出して無線受信機へ出力し、無線受信機によって復調された復調信号を取得し、該取得した復調信号と、記憶部に記憶される源信号とを比較して、無線受信機の評価を行う制御部と、を備える再生装置が提供される。
【００１４】
上記のように構成することにより、受信機の評価を行う度に、標準信号発生器などを用いて試験信号を生成する必要がなく、記憶された試験信号を読み出すだけで容易に受信機の評価を行うことが可能となる。また、源信号と復調信号とを比較することにより、正弦波などの理想波だけでなく、どのような源信号に対しても評価を行うことが可能となる。
【００１５】
また、上記記憶部には、源信号および試験信号が複数記憶されており、制御部は、複数の源信号および試験信号から、所望の試験信号を選択して無線受信機にて復調させる構成としても良い。このように構成することにより、複数の試験信号の中から所望の試験信号を選択するだけで、簡単に試験信号を読み出して、受信機の評価を行うことが可能となる。
【００１６】
また、上記記憶部には、源信号および該源信号を高周波信号に変調した試験信号が、デジタルデータとして１つのファイルに記憶されており、該試験信号は、再生装置が備えるＤＡ変換部によってアナログ信号へ変換されて無線受信機にて復調される構成としても良い。また、上記制御部は、無線受信機によって復調された復調信号の振幅の変動と、記憶部に記憶される源信号の振幅の変動とを比較して、無線受信機の評価を行う、もしくは、無線受信機によって復調された復調信号の周波数分布と、記憶部に記憶される源信号の周波数分布とを比較して、無線受信機の評価を行うよう構成される。
【００１７】
さらに、上記記憶部は、再生装置に対して着脱可能な記憶媒体で構成される、もしくは外部の機器と通信することによって源信号および試験信号とを記憶する構成としても良い。このように構成することにより、外部の機器、すなわち収録装置で収録されたデータを容易に再生装置の記憶部に複製することが可能となる。
【００１８】
また、上記いずれかの収録装置と、上記いずれかの再生装置とが一体型の評価装置として構成されても良い。さらに、本発明により、該評価装置と、源信号を発生する源信号発生器と、源信号を変調して試験信号を発生する試験信号発生器とからなる評価システムが提供される。
【発明の効果】
【００１９】
本発明に係る評価システム、および装置によれば、作業を簡素化すると共に、広帯域の源信号に対する受信機の復調性能を評価することができる。
【図面の簡単な説明】
【００２０】
【図１】本発明の受信機評価システムの概略構成を示す図である。
【図２】本発明の収録システムの概略構成を示す図である。
【図３】本発明の収録システムにおける収録処理の流れを示すフローチャートである。
【図４】本発明の収録装置において記憶されるデータの一例を示す図である。
【図５】本発明の再生システムの概略構成を示す図である。
【図６】本発明の再生システムにおける再生／評価処理の流れを示すフローチャートである。
【図７】従来技術の受信機評価システムの概略構成を示す図である。
【発明を実施するための形態】
【００２１】
以下、図面を参照して、本発明に係る無線受信機評価システムについて説明する。
【００２２】
図１は、本発明の実施形態における受信機評価システム１の概略構成を示す図である。受信機評価システム１は、被評価受信機２１０の復調性能を評価するためのシステムである。本実施形態においては、被評価受信機２１０は、無線通信によって送信される、会話や音楽などの音声信号を受信して復調するラジオ受信機である。受信機評価システム１は、試験信号の収録を行う収録システム１００と、収録システム１００で収録された試験信号を被評価受信機２１０にて再生させ、復調信号の評価を行う再生システム２００とから構成される。
【００２３】
収録システム１００は、源信号を発生するための源信号発生器１１０、試験信号を発生するための試験信号発生器１２０、ならびに源信号および試験信号を収録するための収録装置１０から構成される。そして、再生システム２００は、評価の対象となる被評価受信機２１０、および収録装置１０に収録された試験信号を被評価受信機２１０にて再生させ、被評価受信機２１０か復調信号を受信して評価を行う再生装置２０とから構成される。
【００２４】
図２は、収録システム１００の概略構成を示す図である。上述のように、収録システム１００は、源信号発生器１１０、試験信号発生器１２０、および収録装置１０から構成される。源信号発生器１１０は、評価を行うための源信号を発生する機器である。源信号発生器１１０には、例えばオーディオジェネレータ、マイク、ＣＤプレイヤーなど、音波から電気信号を発生させる機能を備える様々な機器が用いられる。
【００２５】
試験信号発生器１２０は、搬送波発生器１２１および変調器１２２を備えている。搬送波発生器１２１は、源信号を変調するために用いられる高周波の搬送波を発生する機器である。さらに、変調器１２２は、ＦＭ変調やＡＭ変調などの変調方式を用いて、源信号発生器１１０によって発生された源信号を、搬送波発生器１２１によって発生された高周波搬送波に基づいて変調し、試験信号を生成する機器である。この源信号発生器１１０、および試験信号発生器１２０において、源信号および搬送波の周波数やレベルなどの条件を変更することによって、様々な試験信号を生成することができる。尚、本実施形態においては、搬送波発生器１２１および変調器１２２は一体型の試験信号発生器１２０として構成されているが、搬送波発生器１２１および変調器１２２をそれぞれ独立した機器として備える構成としても良い。
【００２６】
収録装置１０は、周波数／レベル変換器１１、レベル変換器１２、ＡＤ変換器１３、制御装置１４および記憶装置１５を備えている。周波数／レベル変換器１１は、試験信号発生器１２０によって生成される試験信号の周波数およびレベルをＡＤ変換器１３の入力レンジに合うように変換する。また、レベル変換器１２は、源信号発生器１１０によって生成される源信号のレベルをＡＤ変換器１３の入力レンジに合うように変換する。
【００２７】
ＡＤ変換器１３は、周波数／レベル変換器１１およびレベル変換器１２によって変換された試験信号および源信号をＡＤ変換するものである。ＡＤ変換器１３は、試験信号および源信号を同期してデジタルデータに変換するように、制御装置１４によって制御される。制御装置１４は、上述のようにＡＤ変換器１３における同期制御を行なうと共に、ＡＤ変換器１３によってＡＤ変換された試験信号データおよび源信号データを、記憶装置１５に記憶させるものである。記憶装置１５は、制御装置１４から転送される試験信号データおよび源信号データ、ならびに当該試験信号および源信号が生成されたときの、源信号発生器１１０および試験信号発生器１２０の条件に関する情報を記憶するためのメモリである。
【００２８】
次に、上記構成を備えた収録システム１００における収録処理について、図３を参照して説明する。図３は、受信機評価システム１における収録処理の流れを示すフローチャートである。収録処理では、まず源信号発生器１１０において評価を行うための源信号が設定される（Ｓ１１）。ここでは、評価項目に応じて、源信号発生器１１０で発生する信号の選択と出力レベルの設定が行われる。例えば、源信号発生器１１０としてオーディオジェネレータ用いる場合には、源信号として発生させるオーディオ信号の周波数およびそのレベルが設定される。また、オーディオジェネレータ以外にも、マイクやＣＤプレイヤーなどを用いて、様々な帯域の周波数の信号を源信号として設定することができる。
【００２９】
次に、試験信号発生器１２０および収録装置１０において、生成する試験信号に関する各種条件が設定される（Ｓ１２）。具体的には、試験信号発生器１２０では、変調器１２２において用いる、ＡＭ変調、ＦＭ変調などの変調方式、および搬送波発生器１２１において発生させる高周波搬送波の周波数および信号レベルが設定される。このときの設定値の例として、日本国内仕様のＦＭ受信機の評価を行う場合、例えば、変調器１２２はＦＭ変調を選択し、搬送波発生器１２１における周波数は７６ＭＨｚ〜９０ＭＨｚに設定される。また、変調器１２２の変調度の設定や、搬送波のレベルの設定（０ｄＢμＶから、最大１４０ｄＢμＶまで）も行われる。
【００３０】
そして、収録装置１０では、源信号および試験信号の収録時間が設定される。この収録時間は、源信号に含まれる高音から低音までの信号が収録できるような十分な時間であって、収録および再生処理にかかる時間が長時間とならないように考慮して設定される。また、後述するように、収録装置１０では、これらの各機器において設定された条件に関する情報、および試験信号および源信号のデジタルデータをファイル化して記憶装置１５へ記憶する。そのため、収録装置１０では、これらのファイルを記憶する際の保存ファイル名についての設定も行われる。上述の各機器における条件設定作業は、各機器上に設けられた図示しない入力部を用いて、ユーザにより手動で行われる。
【００３１】
そして、各機器における条件の設定が完了すると、源信号発生器１１０によって源信号が発生され、試験信号発生器１２０の変調器１２２および収録装置１０のレベ変換器１２の両方に出力される。また、搬送波発生器１２１によって、設定された条件に基づいた高周波搬送波が生成され、変調器１２２に出力される。そして、変調器１２２では、源信号発生器１１０から出力された源信号に基づいて、設定された変調方式によって高周波搬送波が変調され、試験信号が生成される（Ｓ１３）。そして、変調器１２１によって生成された試験信号は、収録装置１０の周波数／レベル変換器１１に出力される。
【００３２】
次いで、源信号発生器１１０からレベル変換器１２に入力された源信号は、レベル変換器１２によってＡＤ変換器の入力レンジに合うようにレベルが調整される。また、変調器１２１から周波数／レベル変換器１１に入力された試験信号も、周波数／レベル変換器１１によってＡＤ変換器１３の入力レンジに合うように周波数およびレベルが調整される（Ｓ１４）。具体的には、例えば、ＡＤ変換器の最大入力レンジが１Ｖの場合、源信号および試験信号のピークピーク値が１Ｖ程度になるように、レベルが調整される。また、試験信号の周波数は、周波数／レベル変換器１１にてＩＦ（Ｉｎｔｅｒｍｅｄｉａｔｅ  Ｆｒｅｑｕｅｎｃｙ：中間周波数）となるように変換される。
【００３３】
次に、周波数レベル変換器１１およびレベル変換器１２で、周波数およびレベルが変換された試験信号および源信号は、それぞれＡＤ変換器１３に入力される。そして、ＡＤ変換器１３にて試験信号および源信号がデジタルデータへ変換される（Ｓ１５）。このとき、ＡＤ変換器１３は、試験信号及び源信号を同期させてＡＤ変換するように、制御装置１４によって制御される。また、試験信号および源信号をＡＤ変換する際に用いられるサンプリング周波数は、試験信号のＩＦの値に基づいて設定される。例えば試験信号がＦＭ変調され、周波数／レベル変換器１１にて２５０ｋＨｚのＩＦへと変換された場合は、１ＭＨｚのサンプリング周波数でサンプリングされる。
【００３４】
そして、ＡＤ変換器１３によってＡＤ変換された、デジタルデータの試験信号データと源信号データは、制御装置１４に入力され、制御装置１４から記憶装置１５に転送されて記憶装置１５に保存される（Ｓ１６）。このとき、試験信号データ源信号データは１つの評価データファイルとして、Ｓ１２によって設定された保存ファイル名で、記憶装置１５に保存される。また、これらのデータと共に、各機器における条件（変調方式、周波数、レベルなど）についても、テキストファイルとして評価データファイルと関連付けられて記憶装置１５に記憶される。
【００３５】
その後、Ｓ１２で設定された収録時間が経過するまで、Ｓ１３からＳ１６の処理が繰り返される（Ｓ１７）。そして、設定された収録時間が経過すると（Ｓ１７：Ｙｅｓ）、各機器に設定された条件に基づいて生成された評価データファイルが完成する。そして、源信号発生器１１０で発生させる源信号の種類や、変調方式などの条件を変更して、再度Ｓ１１からＳ１７の処理を繰り返すことにより、種々の条件による複数パターンの評価データファイルを生成し、記憶装置１５に収録することができる。
【００３６】
図４は、上記収録処理によって収録される評価データファイルおよびテキストファイルの一例を示す図である。図４に示すように、記憶装置１５には、各機器に設定された条件がテキスト形式で保存されるテキストファイル１５０ａと、試験信号データと源信号データがバイナリ値として保存されるデータファイル１５０ｂが、保存ファイル名「ＦＭ００１」として保存されている。テキストファイル１５０ａには、源信号の周波数、変調方式、高周波搬送波の周波数およびレベル、信号の収録時間、ならびにサンプリング周波数がテキストデータとして記憶されている。また、データファイル１５０ｂには、ＡＤ変換器１３によってＡＤ変換された試験信号データおよび源信号データが、ＡＤ変換器１３の分解能である１６ビット、すなわち２バイトのバイナリデータとして交互に記憶されている。詳しくは、ＣＨ１には試験信号データが、そしてＣＨ２には源信号データが記憶され、各サンプリングにおいて２バイトずつが連続して記憶されている。
【００３７】
上述のように収録システム１００で収録されたデータは、後述する再生システム２００にて被評価受信機２１０を評価するために用いられる。そのため、収録装置１０の記憶装置１５に記憶された評価データファイルなどのデータを、再生装置２０の記憶装置２１に転送する必要がある。この場合、記憶装置１５のデータをＣＤ−ＲやＭＯなどの記憶媒体に複製し、該記憶媒体に記憶されるデータを再生装置２０にて読み出して、読み出されたデータを記憶装置２１に記憶させることで、記憶装置１５に記憶されたデータを、再生装置２０の記憶装置２１に転送することができる。また、その他にも、記憶装置１５自体をＵＳＢメモリなどの収録装置１０に対して着脱可能なメモリで構成し、収録処理終了後には、該メモリを再生装置２０に装着して記憶装置２１として用いる構成としたり、収録装置１０と再生装置２０との間で無線、もしくは有線通信を行って、上記データを転送する構成としても良い。
【００３８】
次に、被評価受信機２１０の評価を行うための、再生システム２００について説明する。再生システム２００では、上述のように、収録システム１００にて収録装置１０の記憶装置１５に記憶されたデータを、再生装置２０の記憶装置２１に複製して使用する。図５は、再生システム２００の概略構成を示す図である。上述のように、再生システム２００は、再生装置２０および被評価受信機２１０から構成される。また、再生装置２０は、記憶装置２１、制御装置２２、ＤＡ変換器２３、周波数／レベル変換器２４、レベル変換器２５、およびＡＤ変換器２６を備える。
【００３９】
記憶装置２１には、収録システム１００にて収録され、記憶装置１５に記憶された評価データファイルおよび付随するテキストファイルが複製されて記憶される。ＤＡ変換器２３は、記憶装置２１から読み出されるデジタルデータの試験信号データを、被評価受信機２１０に入力するためにＤＡ変換するためのものである。周波数／レベル変換器２４は、ＤＡ変換器２３にて変換された試験信号データの周波数、およびレベルを元の周波数およびレベルに戻すためのものである。また、レベル変換器２５は、被評価受信機２１０にて復調された復調信号のレベルをＡＤ変換器２６の入力レンジに合わせて変換する機器である。そして、ＡＤ変換器２６は、レベル変換器２５にて変換された復調信号をＡＤ変換して、デジタルデータの復調信号データを生成する。また、制御装置２２は、ＡＤ変換器２６にてＡＤ変換された復調信号データと、記憶装置２１に記憶された源信号データとを比較して、被評価受信機２１０の評価を行う。
【００４０】
上記構成を備えた再生システム２００における再生／評価処理について、図６を参照して説明する。図６は、被評価受信機２１０における試験信号の再生処理および復調信号の評価処理の流れを示すフローチャートである。まず、記憶装置２１に記憶される評価データファイルから、被評価受信機２１０を評価するための評価データファイルが選択される（Ｓ２１）。このとき、ユーザが所望の評価データファイルを選択できるように、再生装置２０の表示部（不図示）に、記憶装置２１に保存されている評価データファイルの一覧を、源信号の種類、試験信号の変調方式、搬送波の周波数などの条件と共に表示させる。これにより、ユーザはこの一覧を参照して、被評価受信機２１０に入力させる試験信号データを含む評価ファイルを容易に選択できる。尚、評価データファイルを選択するにあたっては、上述のように記憶装置２１に記憶されている評価データファイルの一覧を表示する以外にも、例えば再生装置２０の表示部（不図示）に、源信号の種類、変調方式、標準信号の周波数などを入力するための入力画面を表示させ、ユーザによって入力された条件に該当する評価データファイルを検索して、該当する評価データファイルを選択するよう構成しても良い。
【００４１】
そして、被評価受信機２１０を評価するための評価データファイルが選択されると、記憶装置２１から、選択された評価データファイルが読み出される。そして、制御装置２２にて、評価データファイルに含まれる試験信号データのみが抽出される（Ｓ２２）。次いで、抽出された試験信号データは、制御装置２２によってＤＡ変換器２３に転送される。ＤＡ変換器２３では、デジタルデータである試験信号データがアナログ信号に変換される（Ｓ２３）。そして、ＤＡ変換器２３にてＤＡ変換された試験信号は、周波数／レベル変換器２４に入力され、元の周波数およびレベル、すなわち収録装置１０の周波数／レベル変換器１１にて変換される前の周波数およびレベルとなるように変換される（Ｓ２４）。その後、周波数／レベル変換器２４にて、元の周波数／レベルに変換された試験信号は、被評価受信機２１０に入力される。そして、被評価受信機２１０は入力された試験信号を復調してレベル変換器２５へ出力する（Ｓ２５）。
【００４２】
レベル変換器２５では、被評価受信機２１０によって復調された復調信号のレベルを、ＡＤ変換器２６の入力レンジに合わせて変換し、ＡＤ変換器２６へ出力する（Ｓ２６）。ＡＤ変換器２６では、入力された復調信号がデジタルデータへ変換され、復調信号データが生成される（Ｓ２７）。このとき、制御装置２２は、被評価受信機２１０の復調に用いられた試験信号が収録の際にＡＤ変換器１３にてＡＤ変換されたときのサンプリング周波数と同じサンプリング周波数でサンプリングされるように、ＡＤ変換器２６を制御する。そして、ＡＤ変換された復調信号データは、制御装置２２へ出力される。
【００４３】
制御装置２２は、ＡＤ変換器２６から受信した復調信号データを記憶装置２１へ保存する（Ｓ２８）。このとき、ＡＤ変換器２６は、ＡＤ変換器１３と同様の１６ビットの分解能を有しており、復調信号データは、サンプリング毎に２バイトのバイナリデータとして記憶装置２１に記憶される。そして、評価データファイルから抽出された試験信号データが終了するまで、Ｓ２２からＳ２８の処理が繰り返される（Ｓ２９）。そして、評価データファイル内の全ての試験信号データに対する復調信号データが取得されると（Ｓ２９：Ｙｅｓ）、制御装置２２にて、当該試験信号データと共に評価データファイルに記憶されていた源信号データと、復調信号データとの比較が行われる（Ｓ３０）。
【００４４】
制御装置２１では、まず、サンプリング毎に２バイトのバイナリデータとして記憶された源信号データ、および復調信号データを、それぞれつなげて連続したデータとする。そして、当該連続データに基づいて導き出された波形の形状および周波数分布などから、両信号データの比較を行う。具体的には、まず、上記連続データに基づいて導き出された源信号の振幅および復調信号の振幅について、そのレベルや変動について比較が行われる。また、連続データに対してＦＦＴ（Ｆａｓｔ Ｆｏｕｒｉｅｒ Ｔｒａｎｓｆｏｒｍ：高速フーリエ変換）を行って、源信号および復調信号の周波数分布を求め、それぞれの周波数スペクトルにおけるレベルの比較も行われる。そして、源信号の振幅および周波数分布に対して、復調信号の振幅および周波数分布がどのように変化したかに基づいて、被評価受信機２１０における復調機能の評価が行われる。
【００４５】
また、その他にも、ＩＴＵ（Ｉｎｔｅｒｎａｔｉｏｎａｌ  Ｔｅｌｅｃｏｍｍｕｎｉｃａｔｉｏｎ  Ｕｎｉｏｎ）によって標準化されたオーディオに対するＰＥＡＱ（Ｐｅｒｃｅｉｖｅｄ Ｅｖａｌｕａｔｉｏｎ ｏｆ Ａｕｄｉｏ Ｑｕａｌｉｔｙ）評価法や、音声に対するＰＥＳＱ（Ｐｅｒｃｅｐｔｕａｌ  Ｅｖａｌｕａｔｉｏｎ  ｏｆ  Ｓｐｅｅｃｈ  Ｑｕａｌｉｔｙ）評価法を用いて、復調信号データを評価することも可能である。ＰＥＡＱ評価法およびＰＥＳＱ評価法では、源信号と復調信号の特性の違いを比較するとともに、人の耳が捉える感性の部分も取り込んだ評価を行うことができる。
【００４６】
また、上記比較を行う際には、復調信号が源信号に対して遅延していることを考慮する必要がある。この遅延は、試験信号が、ＤＡ変換器２３、周波数／レベル変換器２４を経て、被評価受信機２１０に入力され、復調信号としてレベル変換器２５およびＡＤ変換器２６を介して制御装置２２に入力するまでの時間に起因して生じるものである。そのため、記憶装置２１に記憶される源信号と、遅延して発生する復調信号とを比較する際には、この遅延時間を考慮して、源信号を遅延時間だけシフトさせるなど、復調信号との同期を図った上で比較を行う。
【００４７】
そして、制御装置２２にて、源信号と復調信号との比較の結果、両信号の振幅や周波数分布の相違が許容範囲内である場合には、被評価受信機２１０の復調機能に問題がないと判断し、その旨を再生装置２０の表示部（不図示）に出力する（Ｓ３１）。一方、源信号では高いレベルを有する周波数成分が、復調信号においては低いレベルになっている場合など、両信号の振幅や周波数分布が許容範囲を超えて相違する場合には、被評価受信機２１０の復調機能に問題があると判断し、その旨を同様に再生装置２０の表示部（不図示）に出力する。また、上述のように被評価受信機２１０に問題があるか否かを表示するだけでなく、源信号に対する復調信号の劣化量を数値化して、再生装置２０の表示部に表示させても良い。
【００４８】
上記のように、本実施形態の受信機評価システム１では、収録システム１００において、源信号発生器１１０から様々な帯域の音波を源信号として発生させることにより、収録装置１０に多様な試験信号をデジタルデータとして収録することができる。そして、再生システム２００において、収録装置１０にて収録された多様な試験信号データを用いて被評価受信機２１０を評価することにより、被評価受信機２１０の、より広帯域における復調機能の評価を行うことができる。また、収録装置１０では、試験信号だけでなく該試験信号のもととなった源信号も試験信号と共に記憶する。そして、被評価受信機２１０によって復調された信号と記憶された源信号とを比較して、被評価受信機２１０の評価を行うことにより、評価を行う装置の仕様に限定されず、どのような源信号に対しても被評価受信機の復調機能の評価を行うことができる。
【００４９】
また、本実施形態においては、収録装置１０に源信号および試験信号がデータとして記憶されるため、同じ条件の試験信号が必要になった場合も、再度、源信号発生器１１０、および試験信号発生器１２０を用いて試験信号を生成する必要がない。また、収録装置１０において、複数パターンの源信号および試験信号のデータを記憶すれば、該データを持ち運ぶだけで、信号発生器等を備えていない場所であっても、様々な条件において受信機の評価を行うことが可能となる。さらに、収録装置１０に収録されたデータは、複数の再生装置２０の記憶装置に複製させて用いることができるため、複数の再生装置によって、並列して被評価受信機の評価を行うことも可能となる。
【００５０】
また、再生装置２０においては、記憶装置２２に記憶された評価データファイルの中から、所望のファイルを選択するだけで、簡単に試験信号を生成することができる。また、源信号と被評価受信機２１０によって復調された復調信号との比較は、再生装置によって機械的に行われ、評価結果が表示部に出力される構成となっているため、ユーザが両信号の波形を見比べて評価を行う必要がなく、評価作業の簡素化および一般化を図ることができる。
【００５１】
以上が本発明の実施形態であるが、本発明はこれらの実施形態に限定されるものではなく様々な範囲で変形が可能である。例として、上記実施形態においては、収録装置１０および再生装置２０が別々の装置として構成されているが、本発明はこれに限定されるものではなく、収録装置１０および再生装置２０を一体型の装置として構成することも可能である。このように構成した場合は、収録装置１０および再生装置２０にそれぞれ含まれる、周波数／レベル変換器１１および２４、レベル変換器１２および２５、ＡＤ変換器１３および２６、制御装置１４および２２、ならびに記憶装置１５および２１をそれぞれ一つの周波数／レベル変換器、レベル変換器、ＡＤ変換器、制御装置、および記憶装置として、収録および再生の両方に共用することができ、システムの構成を簡素化することができる。
【符号の説明】
【００５２】
１  受信機評価システム
１０  収録装置
１１、２４  周波数／レベル変換器
１２、２５  レベル変換器  
１３、２６  ＡＤ変換器  
１４、２２  制御装置
１５、２１  記憶装置
２０  再生装置
１００  収録システム
１１０  源信号発生器
１２０  試験信号発生器
２００  再生システム
２１０  被評価受信機
【図１】
2010166187.tif 000003
【図２】
2010166187.tif 000004
【図３】
2010166187.tif 000005
【図４】
2010166187.tif 000006
【図５】
2010166187.tif 000007
【図６】
2010166187.tif 000008
【図７】
2010166187.tif 000009